(57)【特許請求の範囲】
【請求項１】
複数のページを表示する表示部と、
前記表示部の表示面への接触位置を検出する検出部と、
前記接触位置の移動方向に対応して、前記複数のページの末尾又は先頭に向かって前記ページを進行させる表示制御部と
を備え、
前記表示制御部は、前記検出部が前記移動方向の変化を検出するたびに前記ページの進行量を少なくする、表示装置。
【請求項２】
前記表示制御部は、前記検出部が前記移動方向の変化を検出するたびに、前記複数のページのうち進行対象となるページを前記表示部に拡大して表示させる、請求項１に記載の表示装置。
【請求項３】
前記表示制御部は、前記検出部が前記接触位置の前記移動方向の変化を検出するたびに、前記接触位置の単位移動量あたりの前記ページの進行量を少なくする、請求項１又は請求項２に記載の表示装置。
【請求項４】
前記表示制御部は、前記検出部が前記接触位置の前記移動方向の変化を検出するたびに、単位時間あたりの前記ページの進行量を少なくする、請求項１から請求項３のいずれか１項に記載の表示装置。
【請求項５】
前記表示制御部は、前記検出部が前記表示面への接触を検出している間、前記ページを進行させる、請求項１から請求項４のいずれか１項に記載の表示装置。
【請求項６】
前記表示制御部は、前記検出部が前記接触位置を検出した状態から前記接触位置を検出しない状態への遷移を検出することに応じて、前記ページの表示形態を起立状態から見開き状態に変更する、請求項１から請求項５のいずれか１項に記載の表示装置。
【請求項７】
前記表示制御部は、前記表示部に操作領域を表示させ、前記操作領域内の前記接触位置に応じて前記複数のページのうち進行起点となるページを決定する、請求項１から請求項６のいずれか１項に記載の表示装置。
【請求項８】
請求項１から請求項７のいずれか１項に記載の表示装置と、
前記複数のページのうち選択されたページの画像をシートに形成する画像形成部と
を備える、画像形成装置。
【請求項９】
複数のページを表示部に表示させる手順と、
前記表示部の表示面への接触位置の情報を取得する手順と、
前記接触位置の移動方向に対応して、前記複数のページの末尾又は先頭に向かって前記ページを進行させる手順と、
前記接触位置の前記移動方向の変化を検出するたびに前記ページの進行量を少なくする手順と
を含む、表示制御方法。
【発明の詳細な説明】
【技術分野】
【０００１】
本発明は、複数のページを表示する表示装置、画像形成装置、及び表示制御方法に関する。
【背景技術】
【０００２】
特許文献１に記載の携帯端末では、１つの画像ファイル（ページ）がタッチパネルに表示されているときに、タッチパネルが１本の指を用いたフリック操作を検出すると、１ファイル分移動した画像ファイルが表示される。一方、タッチパネルが３本の指を用いたフリック操作を検出すると、３ファイル分移動した画像ファイルが表示される。
【先行技術文献】
【特許文献】
【０００３】
【特許文献１】特開２０１１−１７０６０３号公報
【発明の概要】
【発明が解決しようとする課題】
【０００４】
しかしながら、特許文献１に記載の携帯端末では、目的の画像ファイルが表示中の画像ファイルから何ファイル分先か又は後かをユーザーが把握していない場合は、ユーザーは、やみくもに画像ファイルを表示させることになり、目的の画像ファイルを捜す際の負担は大きい。しかも、移動可能な画像ファイル数は、指の数（５本）に制限されるため、ユーザーには、繰り返し操作が要求され、目的の画像ファイルを捜す際の負担が一層増大する。
【０００５】
本発明は、上記課題に鑑みてなされたものであり、複数のページの中から目的のページを捜す際の負担を軽減できる表示装置、画像形成装置、及び表示制御方法を提供することを目的としている。
【課題を解決するための手段】
【０００６】
本発明の第１の観点によれば、表示装置は、表示部と、検出部と、表示制御部とを備える。表示部は、複数のページを表示する。検出部は、前記表示部の表示面への接触位置を検出する。表示制御部は、前記接触位置の移動方向に対応して、前記複数のページの末尾又は先頭に向かって前記ページを進行させる。表示制御部は、前記検出部が前記移動方向の変化を検出するたびに前記ページを進行させる量を変化させる。
【０００７】
本発明の第２の観点によれば、画像形成装置は、本発明の第１の観点に係る表示装置と画像形成部とを備える。画像形成部は、前記複数のページのうち選択されたページの画像をシートに形成する。
【０００８】
本発明の第３の観点によれば、表示制御方法は、複数のページを表示部に表示させる手順と、前記表示部の表示面への接触位置の情報を取得する手順と、前記接触位置の移動方向に対応して、前記複数のページの末尾又は先頭に向かって前記ページを進行させる手順と、前記接触位置の前記移動方向の変化を検出するたびに前記ページの進行量を変化させる手順とを含む。
【発明の効果】
【０００９】
本発明によれば、検出部が接触位置の移動方向の変化を検出するたびに、ページの進行量を変化させることによって、ページの進行量を段階的に少なくできる。その結果、ページの検索範囲が絞りこまれ、複数のページの中から目的のページを捜す際の負担が軽減される。
【図面の簡単な説明】
【００１０】
【図１】本発明の実施形態１に係る表示装置を示すブロック図である。
【図２】（ａ）〜（ｃ）本発明の実施形態１に係る表示装置が実行するページ進行制御を説明する図である。
【図３】本発明の実施形態１に係る表示装置が実行する表示制御方法を示すフローチャートである。
【図４】本発明の実施形態２に係る表示装置が最初に表示する複数のページの表示形態を説明する図である。
【図５】（ａ）〜（ｄ）本発明の実施形態２に係る表示装置が実行するページ進行制御を説明する図である。
【図６】本発明の実施形態２に係る表示装置が実行する表示制御方法を示すフローチャートである。
【図７】（ａ）〜（ｄ）本発明の実施形態３に係る表示装置が実行するページ進行制御を説明する図である。
【図８】本発明の実施形態３に係る表示装置が実行する表示制御方法を示すフローチャートである。
【図９】本発明の実施形態４に係る画像形成装置を示すブロック図である。
【図１０】本発明の実施形態４に係る画像形成装置の概略を説明するための模型的断面図である。
【発明を実施するための形態】
【００１１】
以下、本発明の実施形態について、図面を参照しながら説明する。なお、図中、同一または相当部分については同一の参照符号を付して説明を繰り返さない。
【００１２】
（実施形態１）
［基本原理］
図１及び図２を参照して、本発明の実施形態１に係る表示装置１０の基本原理を説明する。図１は、表示装置１０を示すブロック図である。図２（ａ）〜図２（ｃ）は、表示装置１０が実行するページ進行制御を説明する図である。表示装置１０は、表示制御部１００と、表示部２１０と、検出部としてのタッチパネル２２０とを備える。
【００１３】
表示部２１０は、複数のページＰ（例えば、電子書籍、又は画像群）を表示する。タッチパネル２２０は、表示部２１０の表示面への接触位置を検出する。表示制御部１００は、タッチパネル２２０が検出した接触位置の移動方向（例えば、位置Ｄ１から位置Ｄ３への移動方向）に対応して、複数のページＰの末尾又は先頭に向かって、内容を表示するページＰを進行させる（例えば、矢印Ｃ１参照）。内容は、文字、記号、数字、図形、又は画像のような情報である。表示制御部１００は、タッチパネル２２０が接触位置の移動方向の変化を検出するたびに内容を表示するページＰの進行量を変化させる。例えば、接触位置の移動方向が位置Ｄ３、位置Ｄ５、及び位置Ｄ７で反転すると、進行量は、進行量Ａ１０から進行量Ａ２０へ変化し、さらに、進行量Ａ２０から進行量Ａ３０へ変化する。
【００１４】
本明細書において、ページＰを進行させることは、例えば、ページＰをめくることである。また、ページＰの進行量は、例えば、ページＰのめくり量である。
【００１５】
本実施形態１によれば、タッチパネル２２０が接触位置の移動方向の変化を検出するたびに、内容を表示するページＰの進行量を変化させることによって、内容を表示するページＰの進行量を段階的に少なくできる（例えば、進行量Ａ１０＞進行量Ａ２０＞進行量Ａ３０）。その結果、ページＰの検索範囲を絞りこむことができ、複数のページＰの中から目的のページＰを捜す際の負担が軽減される。
【００１６】
［ページ進行制御の詳細］
図１及び図２を参照して、ページ進行制御の詳細を説明する。実施形態１において、電子書籍２０を例に挙げて説明する。Ｘ軸は表示部２１０の表示面の長辺と平行であり、Ｙ軸は表示部２１０の表示面の短辺と平行である。表示制御部１００は、タッチパネル２２０が検出した接触位置に基づいて、接触位置の移動量を算出する。以下、本明細書において、接触位置の移動量は、接触位置の移動ベクトルのＸ成分である。
【００１７】
表示制御部１００は、表示部２１０に電子書籍２０を表示させる。電子書籍２０は複数のページＰを含む。電子書籍２０の一部として小口Ｆが表示される。本明細書では、例えば、ユーザーは、一本の指でタッチパネル２２０を操作する。タッチパネル２２０は、表示部２１０の表示面への指の接触位置を検出する。
【００１８】
図２（ａ）に示すように、タッチパネル２２０が位置Ｄ１から位置Ｄ３へ向かう接触位置の移動を検出したことに応じて、表示制御部１００は、接触位置の移動方向に対応する方向（矢印Ｃ１参照）に内容を表示するページＰを進行させる。表示制御部１００は、タッチパネル２２０が表示部２１０の表示面への接触を検出している間、内容を表示するページＰを進行させる。接触位置の移動方向が位置Ｄ３で反転した場合、表示制御部１００は、接触位置が位置Ｄ１から位置Ｄ３まで移動する間に、位置Ｄ１から位置Ｄ３までの移動量Ｌ１０に対応した進行量Ａ１０だけ内容を表示するページＰを進行させる。
【００１９】
図２（ｂ）に示すように、タッチパネル２２０が位置Ｄ３での接触位置の移動方向の反転を検出した場合、表示制御部１００は、内容を表示するページＰの進行方向を反転して（矢印Ｃ２参照）、内容を表示するページＰを進行させる。表示制御部１００は、タッチパネル２２０が表示部２１０の表示面への接触を検出している間、内容を表示するページＰを進行させる。さらに、接触位置の移動方向が位置Ｄ５で反転した場合、表示制御部１００は、接触位置が位置Ｄ３から位置Ｄ５まで移動する間に、位置Ｄ３から位置Ｄ５までの移動量Ｌ２０に対応した進行量Ａ２０だけ内容を表示するページＰを進行させる。
【００２０】
図２（ｃ）に示すように、タッチパネル２２０が位置Ｄ５での接触位置の移動方向の反転を検出した場合、表示制御部１００は、内容を表示するページＰの進行方向を反転して（矢印Ｃ１参照）、内容を表示するページＰを進行させる。表示制御部１００は、タッチパネル２２０が表示部２１０の表示面への接触を検出している間、内容を表示するページＰを進行させる。さらに、接触位置の移動方向が位置Ｄ７で反転した場合、表示制御部１００は、接触位置が位置Ｄ５から位置Ｄ７まで移動する間に、位置Ｄ５から位置Ｄ７までの移動量Ｌ３０に対応した進行量Ａ３０だけ内容を表示するページＰを進行させる。
【００２１】
［表示制御方法］
図１〜図３を参照して、表示装置１０が実行する表示制御方法について説明する。図３は、表示制御方法を示すフローチャートである。表示制御部１００は、ステップＳ１０からステップＳ１１０までを実行することによって、接触位置の移動方向の変化を検出するたびに内容を表示するページＰの進行量を変化させることができる。具体的には次の通りである。
【００２２】
ステップＳ１０において、表示制御部１００は、複数のページＰ（電子書籍２０）を表示部２１０に表示させる。ステップＳ２０において、表示制御部１００は、タッチパネル２２０から表示部２１０の表示面への接触位置の情報を取得する。ステップＳ３０において、表示制御部１００は、接触位置の移動方向に対応して内容を表示するページＰの進行方向を決定する。ステップＳ４０において、表示制御部１００は、内容を表示するページＰを進行させる。
【００２３】
ステップＳ５０において、表示制御部１００は、タッチパネル２２０が検出した接触位置の移動方向が反転したか否かを判定する。ステップＳ５０において否定的判定（ＮＯ）がされた場合、処理はステップＳ６０に進む。ステップＳ６０において、表示制御部１００は、タッチパネル２２０から接触位置の情報を取得したか否かを判定する。ステップＳ６０において肯定的判定（ＹＥＳ）がされた場合、処理はステップＳ４０に進む。その結果、表示制御部１００は、タッチパネル２２０が表示部２１０の表示面への接触を検出している間、内容を表示するページＰを進行させる。
【００２４】
一方、ステップＳ６０において否定的判定（ＮＯ）がされた場合、処理はステップＳ７０に進む。ステップＳ７０において、表示制御部１００は、内容を表示するページＰの進行を停止する。
【００２５】
ステップＳ５０において肯定的判定（ＹＥＳ）がされた場合、処理はステップＳ９０に進む。ステップＳ９０において、表示制御部１００は、接触位置の移動方向の反転位置を記憶する。ステップＳ１００において、表示制御部１００は、反転位置まで内容を表示するページＰを進行させる。ステップＳ１１０において、表示制御部１００は、内容を表示するページＰの進行方向を反転させる。そして、処理はステップＳ４０に進む。
【００２６】
表示制御部１００は、ステップＳ３０、ステップＳ１１０、及びステップＳ４０を実行することによって、接触位置の移動方向に対応して、複数のページの末尾又は先頭に向かって内容を表示するページを進行させることができる。
【００２７】
以上、図１〜図３を参照して説明したように、本実施形態１によれば、接触位置の移動方向の反転が検出されるたびに、内容を表示するページＰの進行量を段階的に少なくできる（進行量Ａ１０＞進行量Ａ２０＞進行量Ａ３０）。従って、内容を表示するページＰの検索範囲で絞りこむことができるため、複数のページＰの中から目的のページＰを捜す際の負担が軽減される。また、本実施形態１によれば、タッチパネル２２０が接触を検出している間内容を表示するページＰが進行する。従って、ユーザーは、連続した接触動作によって内容を表示するページＰを進行させることができるため、内容を表示するページＰを進行させるときの微調整を行いやすい。また、ユーザーは、タッチパネルによるボタン押下によって内容を表示するページを進行させる場合と比較して、より簡易かつ直観的に内容を表示するページＰを進行させることができる。さらに、少ない工数で目的のページＰを捜すことができる。
【００２８】
また、本実施形態１によれば、指の本数によって内容を表示するページＰの進行量を決定しないため、指の本数の制限を受けない。同様に、複数の接触位置を検出することを内容を表示するページＰの進行条件としていないため、３点検知などを行うための複雑な回路及び処理が不要になる。更に、内容を表示するページＰを進行させるための接触位置の移動方向と内容を表示するページＰが進行する方向との関係が、実際の書籍をめくる際の指の移動方向と書籍のページがめくれる方向との関係と近似するため、より直観的に内容を表示するページＰを進行させる（めくる）ことができる。
【００２９】
尚、表示制御部１００は、接触位置の移動方向が変化するたびに接触位置の単位移動量当たりの内容を表示するページＰの進行量を変化させることもできる。以下、実施形態２において具体的に説明する。
【００３０】
（実施形態２）
［概要］
図１を参照して、本発明の実施形態２に係る表示装置１０について説明する。本実施形態２に係る表示装置１０の構成は図１に示した表示装置１０の構成と同じである。表示制御部１００は、タッチパネル２２０が移動方向の変化（本実施形態２では、反転）を検出するたびに、複数のページＰのうち進行対象となる内容を表示するページＰのＸ軸方向に沿った幅を表示部２１０に拡大して表示させる。従って、接触位置の単位移動量あたりの内容を表示するページＰの進行量を減らすことができる。その結果、ページＰの視認性を向上でき、目的のページＰの検索能率を向上できる。
【００３１】
［ページ進行制御の詳細］
図１、図４、及び図５を参照して、ページ進行制御（拡大制御）の詳細を説明する。実施形態２において、電子書籍２０を例に挙げる。図４は、表示装置１０が最初に表示する電子書籍２０（複数のページＰ）の表示形態を説明する図である。
【００３２】
図４に示すように、表示制御部１００は、閉じられて起立した状態の電子書籍２０を表示部２１０に表示させる。電子書籍２０は複数のページＰを含む。表示制御部１００は、電子書籍２０の一部として小口Ｆを表示部に表示させる。小口Ｆは操作領域として機能する。表示制御部１００は、小口Ｆ内の接触位置（例えば、位置Ｄ１１）に応じて、複数のページＰのうち進行起点となるページＰを決定する。具体的には次の通りである。
【００３３】
電子書籍２０が閉じられた状態での小口Ｆの幅Ｌは、電子書籍２０の全ページ数Ｎを表す。従って、表示制御部１００は、小口Ｆ上での位置Ｄ１１からページＰの先頭までの長さＬＡ及び幅Ｌ、又は小口Ｆ上での位置Ｄ１１からページＰの末尾までの長さＬＢ及び幅Ｌに基づいて、タッチパネルが接触位置を検出した位置Ｄ１１に対応するページＰを導出する。表示制御部１００は、位置Ｄ１１に対応するページを進行起点となるページＰに決定する。進行起点となるページＰのページ数は、（ＬＡ／Ｌ）×Ｎ、又は（１−ＬＢ／Ｌ）×Ｎで求められる。例えば、ユーザーは、目的のページＰの大体の位置を目安として小口Ｆに指を接触させ、最初に開くページＰ（進行起点となるページＰ）を指定する。従って、ユーザーは、最初に開いたページＰを基準として目的のページＰを捜すことができる。その結果、より効率よく目的のページＰを捜すことができる。
【００３４】
図５（ａ）〜図５（ｄ）は、表示装置１０が実行するページ進行制御を説明する図である。
【００３５】
図５（ａ）に示すように、タッチパネル２２０が位置Ｄ１１からの接触位置の移動を検出したことに応じて、表示制御部１００は、電子書籍２０を開き、接触位置の移動方向に対応する方向（矢印Ｃ１参照）に内容を表示するページＰを進行させる。位置Ｄ１１で接触位置が検出された時点では、進行対象となる内容を表示するページＰはページＰＶ１である。電子書籍２０が開かれた場合、小口Ｆは分割される。分割された小口Ｆのうち、一方を小口Ｆａと記載し、他方を小口Ｆｂと記載する。
【００３６】
次に、ユーザーが位置Ｄ１３で表示面に接触させた指の移動方向を反転させる。
【００３７】
図５（ｂ）に示すように、タッチパネル２２０が位置Ｄ１３（図５（ａ）参照）において接触位置の移動方向の反転を検出したことに応じて、表示制御部１００は、内容を表示するページＰの進行方向を反転させて（矢印Ｃ２参照）、内容を表示するページＰを進行させる。この場合、表示制御部１００は、反転前のページＰＶ１よりも反転時での進行対象となるページＰＶ２を拡大して表示部２１０に表示させる。すなわち、表示制御部１００は、反転時での進行対象外のページＰＩ１（図５（ａ）参照）を非表示にすることにより、限られた所定のＸ軸方向の表示範囲において、反転時での進行対象となるページＰＶ２を拡大して表示部２１０に表示させる。
【００３８】
次に、ユーザーが位置Ｄ１５で表示面に接触させた指の移動方向を反転させる。
【００３９】
図５（ｃ）に示すように、タッチパネル２２０が位置Ｄ１５において接触位置の移動方向の反転を検出したことに応じて、表示制御部１００は、内容を表示するページＰの進行方向を反転させて（矢印Ｃ１参照）、内容を表示するページＰを進行させる。この場合、表示制御部１００は、反転前のページＰＶ１よりも反転時での進行対象となるページＰＶ３（図５（ｂ）参照）を拡大して表示部２１０に表示させる。すなわち、表示制御部１００は、反転時での進行対象外のページＰＩ２（図５（ｂ）参照）を非表示にすることにより、限られた所定のＸ軸方向の表示範囲において、反転時での進行対象となるページＰＶ３を拡大して表示部２１０に表示させる。
【００４０】
次に、ユーザーが位置Ｄ１７で表示面に接触させた指を表示面から離す。
【００４１】
図５（ｄ）に示すように、タッチパネル２２０が位置Ｄ１７において、接触位置を検出した状態から接触位置を検出しない状態への遷移を検出したことに応じて、表示制御部１００は、内容を表示するページＰの進行を停止して、ページＰ（電子書籍２０）の表示形態を変更する。例えば、表示制御部１００は、ページＰ（電子書籍２０）の表示形態を、起立状態から見開き状態に遷移させる。
【００４２】
従って、ユーザーは、目的のページＰを発見したときに表示面から指を離すだけで、内容を表示するページＰの進行を止めることができると伴に、ページＰを見開き状態にすることができる。つまり、ユーザーは、簡易な操作でページＰの表示形態を変更できる。
【００４３】
また、例えば、ページＰが見開き状態にされた後、タッチパネル２２０が所定操作（例えば、ダブルタップ）を検出したことに応じて、表示制御部１００は、複数のページＰを見開き状態から閉じられて起立した状態（図４参照）に遷移させることもできる。
【００４４】
［接触位置の単位移動量当たりの内容を表示するページＰの進行量の変化］
図１及び図５を参照して、接触位置の単位移動量当たりの内容を表示するページＰの進行量の変化について説明する。タッチパネル２２０が接触位置の移動方向の変化を検出するたびに、進行対象となるページＰＶが拡大表示される。その結果、接触位置の移動方向の変化が検出されるたびに、接触位置の単位移動量あたりの内容を表示するページＰの進行量が減少する。一方、本実施形態２では、単位時間当たりの内容を表示するページＰの進行量は一定である。
【００４５】
具体例を挙げて説明する。接触位置の移動方向が変化する前において、接触位置の単位移動量あたりの内容を表示するページＰの進行量がＭｂであるとする。そして、接触位置の移動方向が変化する前の内容を表示するページＰの進行量に対して、接触位置の移動方向が変化した後の内容を表示するページＰの進行量のＸ軸方向の大きさをＫ倍（拡大率）にしたとする。Ｋは１より大きい数である。その結果、接触位置の移動方向が変化した後では、接触位置の単位移動量あたりの内容を表示するページＰの進行量Ｍａは、Ｍｂ／Ｋである。
【００４６】
ここで、図５（ａ）において、内容を表示するページＰの進行量及び接触位置の移動量をそれぞれＡ６０及びＬ６０とする。この場合、例えば、接触位置の単位移動量あたりの内容を表示するページＰの進行量は、Ａ６０／Ｌ６０である。図５（ｂ）において、内容を表示するページＰの進行量及び接触位置の移動量をそれぞれＡ７０及びＬ７０とする。この場合、例えば、接触位置の単位移動量あたりの内容を表示するページＰの進行量は、Ａ７０／Ｌ７０である。図５（ｃ）において、内容を表示するページＰの進行量及び接触位置の移動量をそれぞれＡ８０及びＬ８０とする。この場合、例えば、接触位置の単位移動量あたりの内容を表示するページＰの進行量は、Ａ８０／Ｌ８０である。
【００４７】
接触位置の移動方向の変化が検出されるたびに、接触位置の単位移動量あたりの内容を表示するページＰの進行量が減少するため、Ａ６０／Ｌ６０＞Ａ７０／Ｌ７０＞Ａ８０／Ｌ８０となる。
【００４８】
［表示制御方法］
図１、図３、及び図６を参照して、表示制御部１００が実行する表示制御方法について説明する。図６は、表示制御方法を示すフローチャートである。ステップＳ２１０、ステップＳ２２０、ステップＳ２４０〜ステップＳ２７０、ステップＳ２９０、及びステップＳ３００は、図３のステップＳ１０、ステップＳ２０、ステップＳ４０〜ステップＳ７０、ステップＳ９０、及びステップＳ１００と処理内容が同じであり、説明を省略する。
【００４９】
ステップＳ２３０において、表示制御部１００は、接触位置に基づいてページＰの進行起点及びページＰの進行方向を決定する。また、ステップＳ２８０において、表示制御部１００は、ページＰ（電子書籍２０）を見開いた状態に表示形態を変更する。さらに、ステップＳ３１０において、表示制御部１００は、内容を表示するページＰの進行方向を反転させ、進行対象となる内容を表示するページＰのＸ軸方向に沿った幅を拡大し表示する。そして、処理はステップＳ２４０に進む。
【００５０】
以上、図１、図５、及び図６を参照して説明したように、本実施形態２によれば、タッチパネル２２０が接触位置の移動方向の反転を検出するたびに、進行対象となる内容を表示するページＰのＸ軸方向に沿った幅を拡大して表示する（図５（ａ）〜図５（ｃ）参照）。その結果、ページの視認性を向上でき、目的のページＰの検索能率を向上できる。さらに、拡大表示の結果、接触位置の単位移動量あたりの内容を表示するページの進行量を減らすことができる。その結果、ページの視認性を更に向上でき、目的のページＰの検索能率を更に向上できる。その他、本実施形態２では、実施形態１と同様の効果を奏する。
【００５１】
また、表示制御部１００は、接触位置の移動方向が変化するたびに単位時間当たりの内容を表示するページＰの進行量を変化させることもできる。以下、実施形態３において具体的に説明する。
【００５２】
（実施形態３）
［概要］
図１を参照して本発明の実施形態３における表示装置１０について説明する。本実施形態３に係る表示装置１０の構成は、図１に示した表示装置１０の構成と同じである。
【００５３】
表示制御部１００は、タッチパネル２２０が接触位置の移動方向の変化（本実施形態３では、反転）を検出するたびに、単位時間あたりの内容を表示するページＰの進行量（以下、「速度」と記載する。）を変化させる。その結果、ページＰの視認性を向上でき、目的のページＰの検索能率を向上できる。
【００５４】
［ページ進行制御の詳細］
図１、図４、及び図７を参照してページ進行制御（速度制御）の詳細を説明する。実施形態３において、電子書籍２０を例に挙げる。図７（ａ）〜図７（ｄ）は、表示装置１０が実行するページ進行制御を説明する図である。
【００５５】
図４に示すように、表示制御部１００は、閉じられて起立した状態の電子書籍２０を表示部２１０に表示させる。表示制御部１００は、小口Ｆ内の接触位置（例えば、位置Ｄ１１）に応じて、複数のページＰのうち進行起点となるページＰを決定する。決定方法は、図４を参照して説明した実施形態２と同じであり、説明を省略する。
【００５６】
図７（ａ）に示すように、タッチパネル２２０が位置Ｄ２１から位置Ｄ２３へ向かう接触位置の移動を検出したことに応じて、表示制御部１００は、接触位置の移動方向に対応する方向（矢印Ｃ１参照）に内容を表示するページＰを速度Ｖ１０で進行させる。
【００５７】
次に、ユーザーが位置Ｄ２３で表示面に接触させた指の移動方向を反転させる。
【００５８】
図７（ｂ）に示すように、タッチパネル２２０が検出した位置Ｄ２３での接触位置の移動方向の反転に応じて、表示制御部１００は、内容を表示するページＰの進行方向を反転させ（矢印Ｃ２参照）、内容を表示するページＰを速度Ｖ２０で進行させる。速度Ｖ２０は速度Ｖ１０より小さい。
【００５９】
次に、ユーザーが位置Ｄ２５で表示面に接触させた指の移動方向を反転させる。
【００６０】
図７（ｃ）に示すように、タッチパネル２２０が検出した位置Ｄ２５での接触位置の移動方向の反転に応じて、表示制御部１００は、内容を表示するページＰの進行方向を反転させ（矢印Ｃ１参照）、内容を表示するページＰを速度Ｖ３０で進行させる。速度Ｖ３０は速度Ｖ２０より小さい。
【００６１】
次に、ユーザーが位置Ｄ２７で表示面に接触させた指を表示面から離す。
【００６２】
図７（ｄ）に示すように、タッチパネル２２０が位置Ｄ２７において、接触位置を検出した状態から接触位置を検出しない状態への遷移を検出したことに応じて、表示制御部１００は、内容を表示するページＰの進行を停止して、ページＰ（電子書籍２０）の表示形態を変更する。例えば、表示制御部１００は、ページＰ（電子書籍２０）の表示形態を、起立状態から見開き状態に遷移させる。
【００６３】
従って、ユーザーは、目的のページＰを発見したときに表示面から指を離すだけで、内容を表示するページＰの進行を止めることができると伴に、ページＰを見開き状態にすることができる。つまり、ユーザーは、簡易な操作でページＰの表示形態を変更できる。
【００６４】
また、例えば、ページＰが見開き状態にされた後、タッチパネル２２０が所定操作（例えば、ダブルタップ）を検出したことに応じて、表示制御部１００は、複数のページＰを見開き状態から閉じられて起立した状態（図４参照）に遷移させることもできる。
【００６５】
［速度（単位時間当たりの内容を表示するページＰの進行量）］
表示制御部１００は、速度を一定の割合で低減させたり、速度を任意の割合で低減させたりすることができる。速度を一定の割合で低減させる場合、例えば、図７（ａ）〜図７（ｃ）において低減率を０．５とする。従って、速度Ｖ２０はＶ１０×０．５である。速度Ｖ３０はＶ２０×０．５（＝Ｖ１０×０．５×０．５）である。
【００６６】
［内容を表示するページＰの進行量］
表示制御部１００は、接触位置の移動量に対応して内容を表示するページＰの進行量を決定する。接触位置の単位移動量当たりの内容を表示するページＰの進行量をＧとする。本実施形態３では、接触位置の単位移動量当たりのページＰの進行量Ｇは、接触位置の移動方向の変化に関係なく一定である。接触位置の移動量をＬとする。従って、内容を表示するページＰの進行量Ｕは、Ｇ×Ｌである。
【００６７】
以下、図７（ａ）〜図７（ｃ）を参照して、具体例を説明する。図７（ａ）〜図７（ｃ）において、接触位置の移動量Ｌを、それぞれ、Ｌ９０、Ｌ１００、及びＬ１１０とする。従って、図７（ａ）〜図７（ｃ）において、ページＰの進行量Ｕは、それぞれ、Ｇ×Ｌ９０、Ｇ×Ｌ１００、及びＧ×Ｌ１１０である。
【００６８】
［表示制御方法］
図１、図６、及び図８を参照して、表示制御部１００が実行する表示制御方法について説明する。図８は、表示制御方法を示すフローチャートである。ステップＳ４１０〜ステップＳ５００は、図６のステップＳ２１０〜ステップＳ３００と処理内容が同じであり、説明を省略する。ステップＳ５１０において、表示制御部１００は、内容を表示するページＰの進行方向を反転させ、単位時間当たりの内容を表示するページＰの進行量（ページＰの速度）を減少させる。そして、処理はステップＳ４４０に進む。
【００６９】
以上、図１、図７、及び図８を参照して説明したように、本実施形態３によれば、タッチパネル２２０が接触位置の移動方向の変化を検出するたびにページＰの進行速度を減少させる（図７（ａ）〜図７（ｂ）参照）。その結果、ページＰの視認性を向上できるため、目的のページＰの検索能率を向上できる。その他、本実施形態３では、実施形態１と同様の効果を奏する。
【００７０】
（実施形態４）
図９及び図１０を参照して、本発明の実施形態４に係る画像形成装置５００について説明する。図９は、画像形成装置５００を示すブロック図である。図１０は、画像形成装置５００の概略を説明するための模型的断面図である。
【００７１】
画像形成装置５００は、制御部１１０、記憶部１２０、原稿搬送部２３０、画像読取部２４０、タッチパネル２２０、表示部２１０、給紙部２５０、搬送部２６０、画像形成部２７０、及び定着部２８０を備える。記憶部１２０は、主記憶装置（例えば、半導体メモリー）及び補助記憶装置（例えば、半導体メモリー、又はハードディスクドライブ）を含む。
【００７２】
制御部１１０は、画像形成装置５００の構成の全体を制御する。具体的には、制御部１１０が、記憶部１２０に格納されたコンピュータープログラムを実行することにより、原稿搬送部２３０、画像読取部２４０、タッチパネル２２０、表示部２１０、給紙部２５０、搬送部２６０、画像形成部２７０、及び定着部２８０を制御する。制御部１１０は、例えば、ＣＰＵ（Ｃｅｎｔｒａｌ  Ｐｒｏｃｅｓｓｉｎｇ  Ｕｎｉｔ）である。タッチパネル２２０は、例えば、表示部２１０の表示面上に配置される。
【００７３】
制御部１１０は、実施形態１、実施形態２、又は実施形態３に係る表示制御部１００として機能する。従って、制御部１１０、表示部２１０、及びタッチパネル２２０は、実施形態１、実施形態２、又は実施形態３に係る表示装置１０を構成する。記憶部１２０は、複数のページＰ（電子書籍２０）の画像データを記憶する。
【００７４】
原稿搬送部２３０は、画像読取部２４０に向けて原稿を搬送する。画像読取部２４０は、原稿の画像を読み取って画像データを生成する。給紙部２５０は、給紙カセット６２及び手差しトレイ６４を含む。給紙カセット６２はシートＴを積載する。シートＴは、給紙カセット６２又は手差しトレイ６４から搬送部２６０に送り出される。シートＴは、例えば、普通紙、再生紙、薄紙、厚紙、及びＯＨＰ（Ｏｖｅｒｈｅａｄ  Ｐｒｏｊｅｃｔｏｒ）シートである。
【００７５】
搬送部２６０は、画像形成部２７０にシートＴを搬送する。画像形成部２７０は、感光体ドラム８１、帯電部８２、露光部８３、現像部８４、転写部８５、クリーニング部８６、及び除電部８７を含む。具体的には、画像形成部８０は、次のようにしてシートＴに画像を形成（印刷）する。
【００７６】
帯電部８２は感光体ドラム８１の表面を帯電する。露光部８３は、原稿読取部２４０によって生成された画像データに基づく光を感光体ドラム８１の表面に照射する。その結果、感光体ドラム８１の表面には画像データに対応した静電潜像が形成される。
【００７７】
現像部８４は、感光体ドラム８１の表面に形成された静電潜像を現像し、感光体ドラム８１の表面にトナー像を形成する。シートＴが感光体ドラム８１と転写部８５との間に供給されることにともなって、転写部８５はシートＴにトナー像を転写する。
【００７８】
トナー像が転写されたシートＴは定着部２８０に向けて搬送される。定着部２８０は、シートＴを加熱及び加圧して、シートＴにトナー像を定着させる。そして、排出ローラー対７２はシートＴを排出トレイ７４に排出する。クリーニング部８６は、感光体ドラム８１の表面に残留しているトナーを除去する。除電部８７は、感光体ドラム８１の表面の残留電荷を除去する。
【００７９】
なお、本発明は、上記の実施形態に限られるものではなく、その要旨を逸脱しない範囲で種々の態様において実施することが可能であり、例えば、以下のような変形も可能である。
【００８０】
（１）図５を参照して説明した実施形態２では、単位時間あたりの内容を表示するページＰの進行量（速度）を一定にし、接触位置の単位移動量あたりの内容を表示するページＰの進行量を変化させた。また、図７を参照して説明した実施形態３では、接触位置の単位移動量あたりの内容を表示するページＰの進行量を一定にし、単位時間あたりの内容を表示するページＰの進行量（速度）を変化させた。ただし、接触位置の移動方向が変化するたびに、単位時間当たりの内容を表示するページＰの進行量（速度）及び接触位置の単位移動量あたりの内容を表示するページＰの進行量を変化させることもできる。例えば、実施形態２において、接触位置の移動方向が変化するたびに、進行対象となる内容を表示するページＰのＸ軸方向に沿った幅を拡大表示すると伴に、接触位置の単位移動量あたりの内容を表示するページＰの進行量（速度）を変化させることもできる。
【００８１】
（２）図５を参照して説明した実施形態２では、接触位置の移動方向が変化するたびに複数のページＰのうち進行対象となるページＰＶを表示部２１０にＸ軸方向に拡大して表示した。ただし、拡大する対象は限定されない。例えば、接触位置の移動方向が変化するたびに、進行対象となるページＰＶのうち進行中のページＰＮだけをＸ軸方向に拡大して表示することができる。図５（ａ）〜及び図５（ｃ）では、それぞれ、進行中のページＰは、ページＰＮ１、ページＰＮ２、及びページＰＮ３である。また、例えば、実施形態２では、進行対象外のページＰＩを非表示にしたが、接触位置の移動方向が変化するたびに電子書籍２０の全体を拡大して表示することもできる。
【産業上の利用可能性】
【００８２】
本発明は、複数のページ（例えば、電子書籍、又は画像群）を表示する表示装置の分野に利用可能である。
【符号の説明】
【００８３】
１０    表示装置
１００    表示制御部
１１０    制御部
１２０    記憶部
２１０    表示部
２２０    タッチパネル
２３０    原稿搬送部
２４０    画像読取部
２５０    給紙部
２６０    搬送部
２７０    画像形成部
２８０    定着部
【図１】
0005918730.tif 000002
【図２】
0005918730.tif 000003
【図３】
0005918730.tif 000004
【図４】
0005918730.tif 000005
【図５】
0005918730.tif 000006
【図６】
0005918730.tif 000007
【図７】
0005918730.tif 000008
【図８】
0005918730.tif 000009
【図９】
0005918730.tif 000010
【図１０】
0005918730.tif 000011